(57)【要約】【課題】流体を順調に燃料電池に進入及び排出させ、且つ燃料電池の密閉性を保持することができる、ケース流路部品具備の燃料電池流路板。【解決手段】流路板の一面は反応流体を受け取る流路面と、反対面は不反応面とされ、該流路板に第一マニホールド、第２マニホールドが設けられ、該流路面上に少なくとも一つの流路があり、該流路は第１流路口で該第１マニホールドに接続され、第２流路口で該第２マニホールドに接続され、該ケース流路部品は平行な第１板と第２板を具え、該第１板と第２板の間は連接板で連接され、該連接板に少なくとも一つの貫通孔が設けられ、該ケース流路部品と該流路板が結合される時、該第１板は該流路面に接触し、該第２板は不反応面に接触し、且つ該第１マニホールドは該貫通孔により該第１流路口に連通する。【選択図】図５
2010114052.tif 000002
【特許請求の範囲】
【請求項１】
ケース流路部品具備の燃料電池流路板において、
流路板であって、その一面は反応流体を受け取る流路面とされ、もう一面は不反応面とされ、該流路板には第１マニホールド、第２マニホールドが設けられ、該流路面に少なくとも一つの流路が設けられ、該流路は第１流路口で該第１マニホールドに接続され、第２流路口で第２マニホールドに接続される、上記流路板と、
ケース流路部品であって、平行な第１板と第２板を具え、該第１板と該第２板の間は連接板で連接され、該連接板に少なくとも一つの貫通孔が設けられ、該ケース流路部品と該流路板が結合される時、該第１板が該流路面と接触し、該第２板が該不反応面と接触し、且つ該第１マニホールドが該貫通孔により該第１流路口と連通する、上記ケース流路部品と、
を包含したことを特徴とする、ケース流路部品具備の燃料電池流路板。
【請求項２】
請求項１記載のケース流路部品具備の燃料電池流路板において、該流路面が電気化学反応層と接触することを特徴とする、ケース流路部品具備の燃料電池流路板。
【請求項３】
請求項２記載のケース流路部品具備の燃料電池流路板において、該電気化学反応層が二つの膜・電極接合体及びこれら膜・電極接合体の間に位置するガス拡散層を包含したことを特徴とする、ケース流路部品具備の燃料電池流路板。
【請求項４】
請求項１記載のケース流路部品具備の燃料電池流路板において、該流路板の四周に溝が環状に設けられたことを特徴とする、ケース流路部品具備の燃料電池流路板。
【請求項５】
請求項４記載のケース流路部品具備の燃料電池流路板において、該溝に密封部品が収容されたことを特徴とする、ケース流路部品具備の燃料電池流路板。
【請求項６】
請求項１記載のケース流路部品具備の燃料電池流路板において、該連接板は該第１板及び該第２板に垂直であることを特徴とする、ケース流路部品具備の燃料電池流路板。
【請求項７】
請求項１記載のケース流路部品具備の燃料電池流路板において、該第２板と該不反応面が嵌合方式で接続されたことを特徴とする、ケース流路部品具備の燃料電池流路板。
【請求項８】
ケース流路部品具備の燃料電池流路板において、
流路板であって、その一面は反応流体を受け取る流路面とされ、もう一面は不反応面とされ、該流路板には第１マニホールド、第２マニホールドが設けられ、該流路面に少なくとも一つの流路が設けられ、該流路は第１流路口で該第１マニホールドに接続され、第２流路口で第２マニホールドに接続される、上記流路板と、
第１ケース流路部品であって、平行な第１板と第２板を具え、該第１板と該第２板の間は第１連接板で連接され、該第１連接板に少なくとも一つの第１貫通孔が設けられ、該第１ケース流路部品と該流路板が結合される時、該第１板が該流路面と接触し、該第２板が該不反応面と接触し、且つ該第１マニホールドが該第１貫通孔により該第１流路口と連通する、上記第１ケース流路部品と、
第２ケース流路部品であって、平行な第３板と第４板を具え、該第３板と該第４板の間は第２連接板で連接され、該第２連接板に少なくとも一つの第２貫通孔が設けられ、該第２ケース流路部品と該流路板が結合される時、該第３板が該流路面と接触し、該第４板が該不反応面と接触し、且つ該第２マニホールドが該第２貫通孔により該第２流路口と連通する、上記第２ケース流路部品と、
を包含したことを特徴とする、ケース流路部品具備の燃料電池流路板。
【請求項９】
請求項８記載のケース流路部品具備の燃料電池流路板において、該流路面が電気化学反応層と接触することを特徴とする、ケース流路部品具備の燃料電池流路板。
【請求項１０】
請求項９記載のケース流路部品具備の燃料電池流路板において、該電気化学反応層が二つの膜・電極接合体及びこれら膜・電極接合体の間に位置するガス拡散層を包含したことを特徴とする、ケース流路部品具備の燃料電池流路板。
【請求項１１】
請求項８記載のケース流路部品具備の燃料電池流路板において、該流路板の四周に溝が環状に設けられたことを特徴とする、ケース流路部品具備の燃料電池流路板。
【請求項１２】
請求項１１記載のケース流路部品具備の燃料電池流路板において、該溝に密封部品が収容されたことを特徴とする、ケース流路部品具備の燃料電池流路板。
【請求項１３】
請求項８記載のケース流路部品具備の燃料電池流路板において、該第１連接板は該第１板及び該第２板に垂直であることを特徴とする、ケース流路部品具備の燃料電池流路板。
【請求項１４】
請求項８記載のケース流路部品具備の燃料電池流路板において、該第２連接板は該第３板及び該第４板に垂直であることを特徴とする、ケース流路部品具備の燃料電池流路板。
【請求項１５】
請求項８記載のケース流路部品具備の燃料電池流路板において、該第２板と該不反応面が嵌合方式で接続されたことを特徴とする、ケース流路部品具備の燃料電池流路板。
【請求項１６】
請求項８記載のケース流路部品具備の燃料電池流路板において、該第４板と該不反応面が嵌合方式で接続されたことを特徴とする、ケース流路部品具備の燃料電池流路板。
【請求項１７】
燃料電池において、該燃料電池は、少なくとも一つの燃料電池セル、該燃料電池セルを挟持する二つの集電板、該二つの集電板を挟持する二つの端板、これら端板を固定する少なくとも一つの固定部品を包含し、
該燃料電池セルは、ケース流路部品具備の二つの燃料電池流路板、電気化学反応層、密封部品を包含し、
該燃料電池流路板は、
流路板であって、その一面は反応流体を受け取る流路面とされ、もう一面は不反応面とされ、該流路板には第１マニホールド、第２マニホールドが設けられ、該流路面に少なくとも一つの流路が設けられ、該流路は第１流路口で該第１マニホールドに接続され、第２流路口で第２マニホールドに接続され、該流路板の四周に環状に溝が設けられた、上記流路板と、
ケース流路部品であって、平行な第１板と第２板を具え、該第１板と該第２板の間は連接板で連接され、該連接板に少なくとも一つの貫通孔が設けられ、該ケース流路部品と該流路板が結合される時、該第１板が該流路面と接触し、該第２板が該不反応面と接触し、且つ該第１マニホールドが該貫通孔により該第１流路口と連通する、上記ケース流路部品と、
を包含し、
上記電気化学反応層は、これらケース流路部品具備の燃料電池流路板の流路面の間に設置されると共に、これら流路面と接触し、
上記密封部品は、上記溝に収容されることを特徴とする、燃料電池。
【請求項１８】
請求項１７記載の燃料電池において、該電気化学反応層は二つの膜・電極接合体とこれら膜・電極接合体の間に位置するガス拡散層を包含することを特徴とする、燃料電池。
【請求項１９】
請求項１７記載の燃料電池において、該連接板は該第１板と該第２板に垂直とされたことを特徴とする、燃料電池。
【請求項２０】
請求項１７記載の燃料電池において、該第２板は該不反応面と嵌合方式で接続されることを特徴とする、燃料電池。
【請求項２１】
燃料電池において、該燃料電池は、少なくとも一つの燃料電池セル、該燃料電池セルを挟持する二つの集電板、該二つの集電板を挟持する二つの端板、これら端板を固定する少なくとも一つの固定部品を包含し、
該燃料電池セルは、ケース流路部品具備の二つの燃料電池流路板、電気化学反応層、密封部品を包含し、
該燃料電池流路板は、
流路板であって、その一面は反応流体を受け取る流路面とされ、もう一面は不反応面とされ、該流路板には第１マニホールド、第２マニホールドが設けられ、該流路面に少なくとも一つの流路が設けられ、該流路は第１流路口で該第１マニホールドに接続され、第２流路口で第２マニホールドに接続され、該流路板の四周に環状に溝が設けられた、上記流路板と、
第１ケース流路部品であって、平行な第１板と第２板を具え、該第１板と該第２板の間は第１連接板で連接され、該第１連接板に少なくとも一つの第１貫通孔が設けられ、該第１ケース流路部品と該流路板が結合される時、該第１板が該流路面と接触し、該第２板が該不反応面と接触し、且つ該第１マニホールドが該第１貫通孔により該第１流路口と連通する、上記第１ケース流路部品と、
第２ケース流路部品であって、平行な第３板と第４板を具え、該第３板と該第４板の間は第２連接板で連接され、該第２連接板に少なくとも一つの第２貫通孔が設けられ、該第２ケース流路部品と該流路板が結合される時、該第３板が該流路面と接触し、該第４板が該不反応面と接触し、且つ該第２マニホールドが該第２貫通孔により該第２流路口と連通する、上記第２ケース流路部品と、
を包含し、
上記電気化学反応層は、これらケース流路部品具備の燃料電池流路板の流路面の間に設置されると共に、これら流路面と接触し、
上記密封部品は、上記溝に収容されることを特徴とする、燃料電池。
【請求項２２】
請求項２１記載の燃料電池において、該電気化学反応層は二つの膜・電極接合体とこれら膜・電極接合体の間に位置するガス拡散層を包含することを特徴とする、燃料電池。
【請求項２３】
請求項２１記載の燃料電池において、該第１連接板は該第１板と該第２板に垂直とされたことを特徴とする、燃料電池。
【請求項２４】
請求項２１記載の燃料電池において、該第２連接板は該第３板と該第４板に垂直とされたことを特徴とする、燃料電池。
【請求項２５】
請求項２１記載の燃料電池において、該第２板は該不反応面と嵌合方式で接続されることを特徴とする、燃料電池。
【請求項２６】
請求項２１記載の燃料電池において、該第４板は該不反応面と嵌合方式で接続されることを特徴とする、燃料電池。
【発明の詳細な説明】
【技術分野】
【０００１】
本発明は一種の燃料電池流路板に係り、特に、ケース流路部品具備の燃料電池流路板に関する。
【背景技術】
【０００２】
プロトン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）は高分子薄膜燃料電池とも称され、最も基本的な構造は、図１に示されるような単一セルとされる。燃料電池セル１０は、ＭＥＡ（膜・電極接合体：Ｍｅｍｂｒａｎｅ  Ｅｌｅｃｔｒｏｄｅ  Ａｓｓｅｍｂｌｙ）１１０、二つのガス拡散層（Ｇａｓ  Ｄｉｆｆｕｓｉｏｎ  Ｌａｙｅｒ：ＧＤＬ）１０５及び１０７、及び二つの流路板（ｆｌｕｉｄ  ｆｌｏｗ  ｐｌａｔｅ）１０１及び１０２を包含する。ガス拡散層１０５及び１０７は流路板１０１及び１０２の間に挟持される。ＭＥＡ１１０はガス拡散層１０５及び１０７の間に挟持される。流路板１０１及び１０２内にはそれぞれ独立した流路（ｆｌｏｗ  ｃｈａｎｎｅｌ）１０３及び１０４があり、これにより燃料電池が必要な反応流体（ｒｅａｃｔａｎｔ  ｆｌｕｉｄ）及び反応後の残余流体の分布と伝送を行う。陽極側（ａｎｏｄｅ  ｓｉｄｅ）に分布し伝送される流体は水素ガス（ｈｙｄｒｏｇｅｎ）或いは加湿した水素ガス（ｈｕｍｉｄ  ｈｙｄｒｏｇｅｎ）とされ、もう一側の陰極側（ｃａｔｈｏｄｅ  ｓｉｄｅ）に分布し伝送される流体は加湿した酸素ガス（ｈｕｍｉｄ  ｏｘｙｇｅｎ）或いは加湿した空気（ｈｕｍｉｄ  ａｉｒ）及び反応後の残余流体及び発生する水である。
【０００３】
ＭＥＡ１１０もまた陽極側と陰極側に分けられ、陽極側は酸化反応を行ない、陰極側は還元反応を行ない、陽極側の水素ガスがＭＥＡに隣接する触媒１０６（或いは１０８、一般にはパラジウム或いはパラジウム合金とされる）に接触する時、水素ガス分子が解離して水素イオンと電子となり、そのうち電子は陽極と陰極を繋ぐ電橋を通り、電橋と直列に接続された負荷を通り、陽極より陰極に流れる。水素イオンは直接陽極よりプロトン交換膜を透過して陰極に到達し、特に、このプロトン交換膜１０９は湿度を有する薄膜であり、水素イオンが水分子を伴い透過することのみ許容し、その他の気体分子は透過させない特性を有する。陰極端において触媒１０８（或いは１０６）の作用下で、電橋を通り到達した電子と酸素が結合して酸素イオンとなり、並びにプロトン交換膜１０９を透過した水素イオンと水分子を合成し、これがいわゆる電気化学（ｅｌｅｃｔｒｏｃｈｅｍｉｃａｌ）の酸化と還元の反応過程である。
【０００４】
この電気化学反応過程を応用して得られるプロトン交換膜燃料電池（ＰＥＭＦＣ）発電システムは高効率で、無汚染で、反応が速く、並びに直列接続堆積されて燃料電池セット／スタックを形成し、燃料電池の電圧をアップし、或いは電極反応面積を増して電流量を増すことができ、これは図２の側面図に示されるとおりである。燃料電池が不断の反応流体の供給を受ける限り、不断に電力を発生して負荷に供給することができ、このような特徴により、プロトン交換膜燃料電池は小型システム電力ソースされるほか、大型発電ソース、分散式電力及び移動式電力ソースに設計され得る。
【０００５】
図２において、燃料電池セット２０は相互に重畳された燃料電池セル１０と両側の端板２０１、２０２、両側の集電板２０５及び２０６、及び複数の固定部品２０３及び２０４を有する。
【０００６】
流路板は設計により異なる態様を有し得るが、通常、陽極側と陰極側の流路板は類似或いは同じとされる。図３は図２の断面図であり、それは単一の流路板を示す。流路板３０の両面はそれぞれ、反応流体を受け取る流路面３０５、及び、不反応面３０８とされ、該流路板３０にソースからの流体２１０を受け取る入口マニホールド３０１（ｉｎｌｅｔ
ｍａｎｉｆｏｌｄ）及び、反応後の流体２１１を受け取り排出する出口マニホールド３０２が設けられている。流路面３０５に流体を分布させ伝送する少なくとも１本の流路３０６が設けられ、流路は入口３０４と出口３０７、及び燃料電池を密閉可能な少なくとも一つの密閉部材溝３０３を有し、完全な流路板形態を構成している。
【０００７】
燃料電池セットに関しては、反応する流体２１０は入口マニホールド３０１を通過し、均一に各燃料電池セル１０の流路板３０の伝送分布用の流路３０６に進入し、電気化学反応を形成し、反応後の流体２１１は出口マニホールド３０２へと順調に排出され、このことは燃料電池の性能の安定及び全体の信頼度に対して極めて重要な鍵となる。このほか、密閉性は燃料電池の性能の正常のもう一つの鍵となり、正常に密閉されていない時、陰極側と陽極側の反応流体は漏洩或いはクロスオーバーを発生して、燃料電池セットに厳重な損壊をもたらす恐れがある。燃料電池の部品支持と密閉が最も難しい位置は、流路３０６の入口３０４及び出口３０７であり、燃料電池セット２０が重畳される時の組立応力（ａｓｓｅｍｂｌｙ  ｓｔｒｅｓｓ）が各部品に伝わり、入口マニホールド３０１と出口マニホールド３０２の側辺には何ら支持がないため、ＭＥＡ１１０とガス拡散層１０５及び１０７の分離を形成しやすく、このため、燃料電池が正常に反応の流体を密閉できなくなりクロスオーバーが発生するか、或いは、ＭＥＡ１１０とガス拡散層１０５及び１０７が流路の入口３０４及び出口３０７に落ち込み、流体の流路板３０への進入と排出が妨害される。このため、如何に流体を順調に燃料電池に進入及び排出させ、且つ燃料電池の密閉性を保持するかが、重要な課題である。
【０００８】
特許文献１は、嵌め込み式流路及び方法を記載し、それはブリッジ片を流路を具えた流路板の流路面に使用し、ブリッジ片の一面に流体を通過させる流路を設け、この文献はまた各種のブリッジ片取付けの方法を記載している。
【０００９】
特許文献２は、ブリッジ片を具えた流路板の設計を記載し、それはブリッジ片を流路を具えた流路板の流路面に使用し、ブリッジ片の一面は密封素子の溝に用い、もう一つの開放面に流体を通過させる流路を設けている。
【００１０】
上述の二つの周知の技術はブリッジ片の方式で実施され、実用上、部品設置の位置合わせが容易でなく、組立過程で位置ずれしたり脱落したりする問題があり、それが量産における大きな問題となる。
【００１１】
また、特許文献３には流体供給を増す燃料電池流路板の設計が記載され、それは流路板の別面の入口流路にマニホールドが接続され、これら入口流路がマニホールドより流路板の別面に沿って延伸され、且つ孔の下降と入口流路の幇助により流体が流路に輸送される。
【００１２】
特許文献４には電気化学燃料電池スタック反応物マニホールドの改善と密封の設計が記載され、その流路板（セパレータ）の供給と排出孔は個別の孔中を流れる流体の流動方向に対して０度より大きく９０度より小さい角度の壁面を有する。
【００１３】
特許文献３と４は貫通孔の方式で設計され、実際の工程上、位置を合わせてさん孔しなければならず、また流路面及び不反応面の両側流路を対応するように揃えなければ流体を順調に流動させられない。
【００１４】
【特許文献１】米国特許第６０１７６４８号明細書
【特許文献２】米国特許第６４１０１７９号明細書
【特許文献３】米国特許第６５００５８０号明細書
【特許文献４】米国特許第６６０７８５８号明細書
【発明の開示】
【発明が解決しようとする課題】
【００１５】
本発明は、流体を順調に燃料電池に進入及び排出させ、且つ燃料電池の密閉性を保持することができる、ケース流路部品具備の燃料電池流路板を提供することを目的とする。
【課題を解決するための手段】
【００１６】
本発明は一種のケース流路部品具備の燃料電池流路板を提供し、それは流路板とケース流路部品を包含する。該流路板の一面は反応流体を受け取る流路面とされ、もう一面は不反応面とされる。該流路板には第１マニホールド、第２マニホールドが設けられ、該流路面に少なくとも一つの流路が設けられ、該流路は第１流路口で該第１マニホールドに接続され、第２流路口で第２マニホールドに接続され、該ケース流路部品は平行な第１板と第２板を具え、該第１板と第２板の間は連接板で連接され、該連接板に少なくとも一つの貫通孔が設けられ、該ケース流路部品と該流路板が結合される時、該第１板が該流路面と接触し、該第２板が該不反応面と接触し、且つ該第１マニホールドは該貫通孔により該第１流路口と連通する。
【００１７】
また、本発明は一種の燃料電池を提供し、それは、少なくとも一つの燃料電池セル、該燃料電池セルを挟持する二つの集電板、該二つの集電板を挟持する二つの端板、これら端板の少なくとも一つを固定する固定部品、を包含する。該燃料電池セルは燃料電池セルはケース流路部品を具えた二つの燃料電池流路板、電気化学反応層及び密封部品を包含する。該燃料電池流路板は流路板とケース流路部品を包含する。該流路板の一面は反応流体を受け取る流路面とされ、もう一面は不反応面とされる。該流路板には第１マニホールド、第２マニホールドが設けられ、該流路面に少なくとも一つの流路が設けられ、該流路は第１流路口で該第１マニホールドに接続され、第２流路口で第２マニホールドに接続され、該流路板の四周は密封部品を収容する溝が環状に設けられている。該ケース流路部品は平行な第１板と第２板を具え、該第１板と第２板の間は連接板で連接され、該連接板に少なくとも一つの貫通孔が設けられ、該ケース流路部品と該流路板が結合される時、該第１板が該流路面と接触し、該第２板が該不反応面と接触し、且つ該第１マニホールドは該貫通孔により該第１流路口と連通する。
【発明の効果】
【００１８】
本発明は、流体を順調に燃料電池に進入及び排出させ、且つ燃料電池の密閉性を保持することができる、ケース流路部品具備の燃料電池流路板及びそれを使用した燃料電池を提供している。
【発明を実施するための最良の形態】
【００１９】
図４は本発明が使用するケース流路部品の立体図である。図５は本発明のケース流路部品と燃料電池流路板の結合前の表示図である。図６は本発明のケース流路部品と燃料電池流路板の組合せ図である。
【００２０】
本発明の設計はケース流路部品４０を取付けた燃料電池流路板３０とされる。図４に示されるように、該ケース流路部品４０は略Ｕ形或いは７形とされ、平行な第１板４０１と第２板４０３を具え、該第１板４０１と該第２板４０３の間は連接板４０２により連接されている。
【００２１】
該第１板４０１は流路板３０と結合される時、流路面３０５と同一側にあり、（すなわち、該第１板４０１は該流路面３０５に接触する）、ＭＥＡとガス拡散層（図示せず）を支持し、該流路板３０の四周には溝３０３が環状に設けられて密封部品、例えばＯリングを収容する。
【００２２】
第２板４０３は該流路板３０の不反応面３０８を挟持するか、該不反応面に嵌め込まれるか或いは該不反応面３０８を係止し、不反応面３０８の態様に合わせ、該第２板４０３は平面体、該流路板３０に嵌入されるＬ形板、或いは該流路板３０の突出形態に合わせた係止溝体とされ得る。これらの変化については後で詳細に説明する。
【００２３】
該連接板４０２は該第１板４０１と該第２板４０３の間である角度を呈する。例えば、該第１板４０１及び該第２板４０３と垂直である。該連接板４０２には該連接板４０２を貫通する少なくとも一つの流路孔４１０があり、反応前の流体（図示せず）を入口マニホールド３０１（第１マニホールド）より流路孔４１０に流入させた後に流路３０６の入口３０４（第１流路口）に流入させるか、或いは、反応後の流体（図示せず）を流路３０６の出口３０７（第２流路口）より流路孔４１０に流した後に出口マニホールド３０２（第２マニホールド）に進入させ排出させる。
【００２４】
該ケース流路部品４０は各種の適合材料及び適合成形技術、例えばスタンピング成形（ｓｔａｍｐｉｎｇ  ｍｏｌｄｉｎｇ）、ダイキャスト（ｄｉｅ−ｃａｓｔｉｎｇ  ｍｏｌｄｉｎｇ）、射出成形（ｉｎｊｅｃｔｉｏｎ  ｍｏｌｄｉｎｇ）等で形成され、また各種形式の流路板設計が可能である。
【００２５】
図５は本発明のケース流路部品と燃料電池流路板結合前の表示図である。本発明の流路板３０の流路３０６の入口３０４（第１流路口）と出口３０７（第２流路口）と流路面３０５の間は傾斜角度を呈する設計とされ、該入口３０４（第１流路口）は流路面３０５に対し、０度から−９０度の間の任意の傾斜角度を有し得て、該出口３０７（第２流路口）は流路面３０５に対し、０度から−９０度の間の任意の傾斜角度を有し得る。該ケース流路部品４０は挟持方式で流路板３０と結合する。結合時には、第１板４０１の内側面が流路板３０と結合される。結合時、第１板４０１の内側面は流路板３０の流路面３０５と等高に揃えられ、ＭＥＡとガス拡散層（図示せず）を支持する。連接板４０２は流路板３０の流路の入口３０４（或いは出口３０７）と接触するか或いは緊密に接合され、流路孔４１０は流路３０６の入口３０４（或いは出口３０７）とアラインし流体が順調に通過するものとされる。第２板４０３は流路板３０の不反応面３０８を挟持し緊密に接触結合し、該第２板４０３は不反応面３０８と等高に揃えられる。これにより別の燃料電池セル（図示せず）の不反応面と完全に緊密に結合可能であり、こうして図６に示されるように、ケース流路部品具備の燃料電池流路板が完成する。
【００２６】
反応流体が入口マニホールド３０１（第１マニホールド）より流路孔４１０をとおり傾斜設計の入口３０４（第１流路口）に進入する時、順調で均一な流場形態で燃料電池セル１０の流路３０６に進入並びに分布伝送されて電気化学反応を行う。反応後の流体が傾斜設計された出口３０７（第２流路口）より流路孔４１０を通り出口マニホールド３０２（第２マニホールド）に進入する時も、順調で均一な流場形態とされる。
【００２７】
図７から図１２は本発明の多種類の実施例の断面図である。そのうち、図７は図５の断面図であり、その構造はここで重複して説明しない。
【００２８】
図８は図７の変化例であり、図７との異なるところは、該第２板４０３がＬ形板とされ、その形状は流路板３０の不反応面３０８に設置された溝５０２に合わせたものとされ、これにより図８では該第２板４０３は流路板３０に嵌め込まれ並びにそれと緊密に接触、結合される。
【００２９】
図９は図７の変化例であり、図７との違いは、流路３０６の第１流路口（入口）と流路面とが平行に設計され、該第１板４０１がＭＥＡ１１０とガス拡散層（図示せず）を不支持でＭＥＡ１１０とガス拡散層（図示せず）が等高に揃えられ、更に、密封部品（図示せず）により密封される。該第２板４０３は流路板３０の突出形態に合わせた溝体とされ、それは流路板３０の不反応面３０８の突出形態に合わせて、該第２板４０３は流路板３０に係止され緊密に接触、結合される。
【００３０】
図１０は図７の変化例であり、図７との違いは、連接板４０２が第１板４０１と第２板４０３に垂直でなく、流路孔４１０を入口マニホールド３０１（或いは出口マニホールド（図示せず））に延伸させる形式とされる。
【００３１】
図１１は図７の変化例であり、図７との違いは、連接板４０２に設置される流路孔４１０が二つであり、流路孔の数量と配列方式は複数のアレイ方式とされる。
【００３２】
図１２は図７の変化例であり、図７との違いは、第１板４０１が増厚され、並びに入口３０４（第１流路口）の変形に合わせて、流路孔４１０が延伸されて流路３０６とされ、ゆえに流体２１０を伝送し燃料電池流路板に進入させ、第１板４０１はＭＥＡ１１０とガス拡散層（図示せず）と等高に揃えられ該ＭＥＡ１１０とガス拡散層を支持するのではない。
【００３３】
以上から分かるように、本発明の使用するケース流路部品は挟持、嵌め込み、係止の方式で流路板の流路の第１流路口（入口）及び又は第２流路口（出口）に結合され、並びに第１流路口（入口）及び又は第２流路口（出口）を第１マニホールド（入口マニホールド）及び又は第２マニホールド（出口マニホールド）に連通させ、こうして反応流体を順調に流通させる。
【００３４】
総合すると、本発明のケース流路部品具備の燃料電池流路板は斬新な設計とされ、周知の技術には無く且つ機能上改良され、その利用により産業の発展を促進する。
【図面の簡単な説明】
【００３５】
【図１】周知の燃料電池セルの断面図である。
【図２】周知の燃料電池セットの側面図である。
【図３】周知の燃料電池流路板の表示図である。
【図４】本発明のケース流路部品の立体図である。
【図５】本発明のケース流路部品と燃料電池流路板の結合前の表示図である。
【図６】本発明のケース流路部品と燃料電池流路板の組合せ図である。
【図７】本発明のケース流路部品具備の燃料電池流路板の部分断面図である。
【図８】本発明のケース流路部品具備の燃料電池流路板の第１変化例の部分断面図である。
【図９】本発明のケース流路部品具備の燃料電池流路板の第２変化例の部分断面図である。
【図１０】本発明のケース流路部品具備の燃料電池流路板の第３変化例の部分断面図である。
【図１１】本発明のケース流路部品具備の燃料電池流路板の第４変化例の部分断面図である。
【図１２】本発明のケース流路部品具備の燃料電池流路板の第５変化例の部分断面図である。
【符号の説明】
【００３６】
１０  燃料電池セル        ２０  燃料電池セット      ３０  流路板
４０  ケース流路部品      １０１  流路板            １０２  流路板
１０３  流路              １０４  流路              １０５  ガス拡散層
１０６  触媒              １０７  ガス拡散層        １０８  触媒
１０９  プロトン交換膜    １１０  ＭＥＡ
２０１、２０２  端板      ２０３、２０４  固定部品    ２０５、２０６  集電板
２１０、２１１  流体      ３０１  入口マニホールド    ３０２  出口マニホールド
３０３  溝                ３０４  入口                ３０５  流路面
３０６  流路              ３０７  出口                ３０８  不反応面
４０１  第１板            ４０２  連接板              ４０３  第２板
４１０  流路孔            ５０１  溝面                ５０２  溝
【図１】
2010114052.tif 000003
【図２】
2010114052.tif 000004
【図３】
2010114052.tif 000005
【図４】
2010114052.tif 000006
【図５】
2010114052.tif 000007
【図６】
2010114052.tif 000008
【図７】
2010114052.tif 000009
【図８】
2010114052.tif 000010
【図９】
2010114052.tif 000011
【図１０】
2010114052.tif 000012
【図１１】
2010114052.tif 000013
【図１２】
2010114052.tif 000014